(57)【特許請求の範囲】
【請求項１】
束の上端部の載置部上面にナット体を突設し、金属製の角筒状をした大引の下面部に下面側孔を設け且つ上面部に下面側孔と上下に対向する上面側孔を設け、該大引を載置部の上面に載置すると共にナット体を大引の下面側孔から角筒状の大引内に突入させ、コンクリート系の床パネルにボルト挿入孔を形成し、該コンクリート系の床パネルを大引上に載置し、床パネルのボルト挿入孔から挿入したボルトを大引の上面側孔を通して大引内に位置するナット体に螺合して成ることを特徴とする束への大引及び床パネルの取付け構造。
【発明の詳細な説明】
【０００１】
【発明の属する技術分野】
本発明は、束への大引及び床パネルの取付け構造に関するものである。
【０００２】
【従来の技術】
従来から床を構成するには、まずべた基礎等の設置面の上に束を立設し、この束の上に大引を載置して大引を束に固着具により固着し、次に、大引上に床パネルを載置し、床パネルを大引に固着具により固着するようにしていた。
【０００３】
ところが、上記の従来例にあっては、束と大引との固着具による固着作業、大引と床パネルとの固着具による固着作業が必要であり、作業に手間がかかるという問題があった。また、束上に大引を載置する場合、一列に並んだ複数の束上に大引を仮に載せた状態で大引を各束とそれぞれ固着具により固着する必要があり、この場合、大引が束に対してずれないように手で支持しながら固着具による固着作業をする必要があり、作業が面倒であった。
【０００４】
また、近年、大引として金属製のものを使用し、床パネルとしてプレキャストコンクリートのようなコンクリート系の床パネルを使用することが行われ、コンクリート系の床パネルから金属製の大引にかけてスクリュービスなどをねじ込んで固定しているが、コンクリート系の床パネルの固着力が弱いという問題があった。
【０００５】
【発明が解決しようとする課題】
本発明は上記の点に鑑みてなされたものであり、束に対して金属製の大引、コンクリート系の床パネルを同時に固定でき、作業が簡略化でき、また、大引を束に載置する際にずれないように仮支持ができていっそう作業性が向上する束への大引及び床パネルの取付け構造を提供することを課題とするものである。
【０００６】
【課題を解決するための手段】
上記課題を解決するために本発明に係る束への大引及び床パネルの取付け構造は、束１の上端部の載置部２上面にナット体３を突設し、金属製の角筒状をした大引４の下面部に下面側孔５を設け且つ上面部に下面側孔５と上下に対向する上面側孔６を設け、該大引４を載置部２の上面に載置すると共にナット体３を大引４の下面側孔５から角筒状の大引４内に突入させ、コンクリート系の床パネル７にボルト挿入孔８を形成し、該コンクリート系の床パネル７を大引４上に載置し、床パネル７のボルト挿入孔８から挿入したボルト９を大引４の上面側孔６を通して大引４内に位置するナット体３に螺合して成ることを特徴とするものである。
【０００７】
このような構成とすることで、ボルト９をナット体３に螺合するのみで床パネル７を大引４を介して束１に直接固定できる。つまり、ボルト９の固定作業のみで床パネル７と大引４とを束１に一体に固定できることになる。また、大引４を載置部２の上面に載置すると共にナット体３を大引４の下面側孔５から角筒状の大引４内に突入させることで、ボルト９で本固定するまでの間中束１の載置部２に載置した大引４が載置部２からずり落ちることがなく、大引４への床パネル７の載置時にも大引４を未だ固定していないにもかかわらず大引４が束１からずり落ちることがなく、床パネル７の大引４への載置作業が容易に行えるものである。
【０００８】
【発明の実施の形態】
以下、本発明を添付図面に示す実施形態に基づいて説明する。
【０００９】
束１はべた基礎等の設置面１０上に立設されるもので、束１をべた基礎等の設置面１０上に立設するに当たっては従来から公知の種々の方法が採用でき（例えば束１の下端部をコンクリート釘により固着して立設したり、束１の下端部をモルタルにより固着したりする）、束１は図示を省略しているが高さ調整機構を備えたものであってもよい。束１の上端部には板状をした載置部２が設けてあり、載置部２の上面の中央部には上方に向けてナット体３が突設してある。
【００１０】
大引４は金属製であって角筒状をしており、大引４の下面部にはあらかじめ束１の立設ピッチに対応したピッチで下面側孔５が穿孔してある。この下面側孔５は上記ナット体３が挿入できる大きさに設定してある。金属製の角筒状をした大引４の上面部４ｂには各下面側孔５の真上にそれぞれ上面側孔６が穿孔してあって、各下面側孔５と各上面側孔６とが上下に対向している。この上面側孔６は後述のボルト９が挿入できる大きさに設定してある。
【００１１】
コンクリート系の床パネル７は例えばＡＬＣにより形成してあり、一定ピッチで上下に貫通するボルト挿入孔８が形成してあり、このボルト挿入孔８は上端部が大径孔部８ａとなっている。
【００１２】
しかして、施工に当たっては、前述のようにして束１をべた基礎等の設置面１０上に一定ピッチで立設し、次に、図３のように束１の載置部２の上面に大引４を載置すると共にナット体３を大引４の下面側孔５から角筒状の大引４内に突入させる。この場合、ナット体３により大引４が載置部２からずれ落ちるのが防止されるものであり、したがって、以後の作業においては大引４を束１に対してずり落ちないように手で支持しながら作業を行う必要がない。次に、大引４上にコンクリート系の床パネル７を載置してコンクリート系の床パネル７に設けたボルト挿入孔８を大引４の上面側孔６に連通させる。この状態で、コンクリート系の床パネル７のボルト挿入孔８からボルト９を挿入し、ボルト９の先端部を上面側孔８を通過させて角筒状の大引４内に位置しているナット体３に螺合させることで、図１、図２に示すように、ボルト９によりコンクリート系の床パネル７を金属製の大引４を介して束１に一体に固定するものである。これによりボルト９の螺合作業のみで金属製の大引４とコンクリート系の床パネル７とをボルト９で同時に束１に固定できるものである。
【００１３】
なお、ボルト９の頭部９ａはボルト挿入孔８の上端部が大径孔部８ａ内に位置してコンクリート系の床パネル７の上面より上方に突出しないようになっている。
【００１４】
【発明の効果】
上記のように本発明にあっては、束の上端部の載置部上面にナット体を突設し、金属製の角筒状をした大引の下面部に下面側孔を設け且つ上面部に下面側孔と上下に対向する上面側孔を設け、該大引を載置部の上面に載置すると共にナット体を大引の下面側孔から角筒状の大引内に突入させ、コンクリート系の床パネルにボルト挿入孔を形成し、該コンクリート系の床パネルを大引上に載置し、床パネルのボルト挿入孔から挿入したボルトを大引の上面側孔を通して大引内に位置するナット体に螺合するので、ボルトをナット体に螺合するのみで床パネルと大引を束に一体に固定でき、コンクリート系の床パネルと金属製の大引とを固定するに当たり、コンクリート系の床パネルにタッピングビスをねじ込んで固定するという困難で不安定な固定作業を必要とせず、また、大引を載置部の上面に載置すると共にナット体を大引の下面側孔から角筒状の大引内に突入させることで、ボルトで本固定するまでの間中束の載置部に載置した大引が載置部からずり落ちることがなく、大引への床パネルの載置時にも大引を未だ固定していないにもかかわらず大引が束からずり落ちることがなく、したがって、床パネルの大引への載置作業が容易に行え、いっそう作業性が向上するものである。
【図面の簡単な説明】
【図１】本発明の断面図である。
【図２】同上の斜視図である。
【図３】同上の束上に大引を載設した状態の断面図である。
【符号の説明】
１  束
２  載置部
３  ナット体
４  大引
５  下面側孔
６  上面側孔
７  床パネル
８  ボルト挿入孔
９  ボルト
【図１】
0003785374.tif 000002
【図２】
0003785374.tif 000003
【図３】
0003785374.tif 000004